(57)【要約】【課題】試験弾器モジュールに対する作業員等の作業を容易で確実に実現させる。【解決手段】並列された複数のスリット端子に通信線を結線するための結線スリット上に示名条片を着脱する試験弾器モジュールにおいて、前記示名条片は、前記結線スリットに結線された通信線を押さえ込むためのリブが形成されていることを特徴とすることにより上記課題を解決する。【選択図】図６
2008270230.tif 000002
【特許請求の範囲】
【請求項１】
並列された複数のスリット端子に通信線を結線するための結線スリット上に示名条片を着脱する試験弾器モジュールにおいて、
前記示名条片は、前記結線スリットに結線された通信線を押さえ込むためのリブが形成されていることを特徴とする試験弾器モジュール。
【発明の詳細な説明】
【技術分野】
【０００１】
本発明は、試験弾器モジュールに係り、特に、試験弾器モジュールに対する作業員等の作業を容易で確実に実現させるための試験弾器モジュールに関する。
【背景技術】
【０００２】
従来、ＰＢＸ（Ｐｒｉｖａｔｅ Ｂｒａｎｃｈ Ｅｘｃｈａｎｇｅ）等に代表される各種通信機器を電気通信回線に接続する場合には、その接続地点に保安器を設置する。これは、通信回線から侵入してくる過電圧、過電流の流入による機器の故障を防止し、また人の安全を確保するためである。
【０００３】
上述したような保安器としては、例えば内部に保護回路が構成されているアレスタ（保安器）モジュール等を試験弾器モジュールに装着させることで、装着されたアレスタモジュールを介して屋外配線と屋内配線とを接続させるよう構成されているものがある（例えば、特許文献１参照。）。
【０００４】
特許文献１では、アレスタモジュールの差込ガイドが試験弾器上に配置されたアースバーの切り込みに嵌入されるため、アレスタモジュールを倒れにくくすることができるものである。
【０００５】
一方、上述したような試験弾器モジュールを有する保安器は、特に電話局等においては、膨大な数の回線や端子を管理する必要があるため、加入者ケーブルを分類分けせずに交換機に直接接続せずに所定の地域や建物毎に収容して管理される。
【０００６】
このような場合には、その保安器がどの区域の回線の結線を行っているのかを作業員に容易に理解させるために、区域、建物、又は企業名等に分類ができるよう文字や記号等を記載し識別を可能にするための示名条片（マーキングプレート）を端子板に取り付けている（例えば、特許文献２参照。）。
【０００７】
特許文献２では、端子板の前後両端面に倒立自在に枢支する脚片を取り付けることができる端子板用示名条片取付台を有するよう構成されているものである。
【特許文献１】実用新案登録第３０４１８８０号公報
【特許文献２】実開平３−５３７５９号公報
【発明の開示】
【発明が解決しようとする課題】
【０００８】
しかしながら、上述したアレスタモジュールの着脱作業や試験弾器モジュールに対する通信線の結線作業等は担当の作業員が行うが、激しい振動や作業員の作業ミス等により、アレスタモジュールや通信線が外れてしまう恐れがある。また、試験弾器モジュールを製造する際にも、例えば、試験弾器モジュールのハウジングに配線接続用端子を圧入により取り付ける際にも作業ミスにより、配線接続用端子や試験弾器モジュールが破損したり、試験弾器モジュールが誤動作する恐れがある。
【０００９】
本発明は、上述した問題点に鑑みなされたものであり、試験弾器モジュールに対する作業員等の作業を容易で確実に実現させるための試験弾器モジュールを提供することを目的とする。
【課題を解決するための手段】
【００１０】
上記課題を解決するために、本件発明は、以下の特徴を有する課題を解決するための手段を採用している。
【００１１】
請求項１に記載された発明は、並列された複数のスリット端子に通信線を結線するための結線スリット上に示名条片を着脱する試験弾器モジュールにおいて、前記示名条片は、前記結線スリットに結線された通信線を押さえ込むためのリブが形成されていることを特徴とする。
【００１２】
請求項１記載の発明によれば、試験弾器モジュールに対する作業員等の作業を容易で確実に実現させることができる。具体的には、示名条片を利用して通信線を押さえ込むことができるため、振動や作業員の誤った結線作業等によって通信線が外れることを防止することができる。
【発明の効果】
【００１３】
本発明によれば、試験弾器モジュールに対する作業員等の作業を容易で確実に実現させることができる。
【発明を実施するための最良の形態】
【００１４】
＜本発明の概要＞
本発明は、通信線の結線外れを防止するため、示名条片にリブを設け通信線を押さえ込むことにより、通信線の結線部から外れを防止する。次に、上述した本発明の内容を実施例として具体的に図を用いて説明する。
【００１５】
＜実施例１：アレスタモジュールの外れ防止＞
図１乃至図５は、本発明における実施例１を説明するための一例の図である。実施例１は、アレスタモジュールの試験弾器モジュールからの外れを防止するための実施例である。
【００１６】
図１は、実施例１における各構成内容を説明するための一例の図である。具体的には、試験弾器モジュール１０と、試験弾器モジュール１０に着脱可能なアースバー１１と、アースバー１１に接触しながら試験弾器モジュール１０と着脱可能なアレスタモジュール１２とを有するよう構成されている。また、図２は、試験弾器モジュール１０の内部を説明するための一例の図である。また、図３は、試験弾器モジュール１０にアースバー１１を装着した一例の図である。また、図４は、アースバー１１とアレスタモジュール１２の拡大図である。更に、図５は、アースバー１１とアレスタモジュール１２との嵌合内容を説明するための一例の図である。
【００１７】
試験弾器モジュール１０は、下部ハウジング２１と上蓋２２の２つの部材からなるハウジングを有する。また、図２に示すように試験弾器モジュール１０の内部には、２つの配線接続用端子２３−１，２３−２の一端に形成された長短の段差を設けた２つのバネ部２４ａ，２４ｂが当接させて対向配置し、更に上述したように対向配置された配線接続用端子２３の組が、その長手方向に複数組み込んだ状態で配置されている。なお、バネ部２４ａ、２４ｂに長短の段差を設けたのは、瞬断防止のためである。つまり、使用中であっても無瞬断でアレスタモジュール１２の着脱が可能となる。
【００１８】
また、上蓋２２の上面には、配線接続用端子２３のもう一端に形成されたスリット端子（例えば、Ｕスリット、Ｗ−Ｕスリット等）２５のそれぞれに対応する位置に結線スリット２６が設けられており、この結線スリット２６からスリット端子２５が突出していることにより通信線との結線が可能となる。更に、結線された通信線は、ストレインリリーフ２７により保持される。
【００１９】
更に、図３に示すように、上蓋２２の上面には、試験弾器モジュール１０の内部の配線接続用端子２３に対応する位置にアレスタモジュール用開口部２８が設けられており、このアレスタモジュール用開口部２８により、アレスタモジュール１２の基板２９が試験弾器モジュール１０内に挿入され、一対のバネ部２４ａ，２４ｂにそれぞれ挟持されることで、アレスタモジュール１２が装着され、配線接続用端子間がアレスタモジュール１２の保護回路を介して電気的に導通状態となる。
【００２０】
また、アースバー１１は、試験弾器モジュール１０の上面に装着されるものである。つまり、アースバー１１は、図１及び図３に示すように試験弾器モジュール１０との着脱を可能とするため、アースバー１１の両側に設けられた所定の弾性力を有する取り付け用接片３０により、上蓋２２に装着される導電性金属板である。また、図１、図４、及び図５に示すように、その導電性金属板をコの字型に折り曲げ、更に、両側の長軸方向には、アレスタモジュール１２のアース用端子３１に対応してアース端子用開口部３２を有するよう形成されている。
【００２１】
また、アースバー１１には、アレスタモジュール１２及びアレスタモジュール用開口部２８に対応して、図１及び図４の斜線部分に示すように開口面３３が形成されている。
【００２２】
また、アレスタモジュール１２は、作業員等が試験弾器モジュール１０からアレスタモジュール１２の着脱を行うための取手部３４と、アースバー１１の開口面３３に差し込む差込部３５と、差込部３５に保護される基板２９とを有している。また、基板２９には、周知の保護回路が形成されている。また、差込部３５の外側には、上述した突状のアース端子３１が形成されている。
【００２３】
ここで、図５に示すように、アレスタモジュール１２の基板２９を図５（ａ）から図５（ｂ）のように試験弾器モジュール１０に差し込む場合、アースバー１１の開口面３３に差込部３５を挿入する。このとき、アース端子３１とアース端子用開口部３２とが嵌合することになる。これにより、アース端子３１とアースバー１１とが接触してアースを取ることができると共に、振動等によるアレスタモジュール１２の外れ、倒れ等による脱落を防止することができる。また、作業員は、差込作業、装着作業が確実に行えたかを確認する際、嵌合部分をチェックすることで、容易に嵌合の確実性を判断することができる。
【００２４】
なお、アース端子３１及びアース端子用開口部３２の形状や個数は、本発明においてはこの限りではなく、アース端子３１とアース端子用開口部３２とが互いに嵌合するように形成されていればよい。
【００２５】
以上のように、実施例１により、試験弾器モジュール１０に対するアレスタモジュール１２の着脱作業、特に差込作業、装着作業を容易で確実に実現することができる。
【００２６】
＜実施例２：通信線の結線後の抜け防止＞
図６乃至図８は、本発明における実施例２を説明するための一例の図である。実施例２は、試験弾器モジュール４０に装着される示名条片に、結線された通信線（電線）を押さえ込んで保持するためのリブを設けることにより、結線後の通信線の抜けを防止するための実施例である。図６は、実施例２における各構成内容を説明するための一例の図である。具体的には、図６では、試験弾器モジュール４０に、上述した実施例１に対応したアースバー４１が設置されている。また、試験弾器モジュール４０の上部には、並列された複数のスリット端子に対応して形成された結線スリット上に示名条片（マーキングプレート）４２が取り付けられている。また、図７は、示名条片４２の裏面を説明するための一例の図である。更に、図８は、示名条片４２による通信線の押さえ込み例を示す図である。
【００２７】
示名条片４２は、その試験弾器モジュール４０が、どの区域の回線の結線を行っているのかを作業員等に容易に理解させるために、区域、建物、又は企業名等に分類ができるよう文字や記号等を記載することで、その試験弾器モジュール４０又は通信線の識別を可能にする。
【００２８】
また、図７に示すように、示名条片４２の裏側には、結線スリット４３に挿入するためのリブ５１が形成されている。また、示名条片４２と試験弾器モジュール４０とを取り付けた後の抜けを防止するため、試験弾器モジュール４０の両側には凹部５２を設け、示名条片４２の両側には、凹部５２と係止するための係止部５３を設けている。なお、凹部５２及び係止部５３の形状については、本発明においてはこの限りではなく、例えばお互いに逆の形状であってもよい。
【００２９】
更に、示名条片４２の脱落防止をより確実なものとするため、試験弾器モジュール４０の側面には、示名条片４２を引っ掛けて固定するための引掛穴部５４が所定の間隔を設けて形成されている。また、示名条片４２には、その引掛穴部５４に嵌込するための嵌込突起部５５が形成される。これにより、示名条片４２を試験弾器モジュール４０に取り付けた状態からの抜けや外れ等の脱落を防止することができる。
【００３０】
また、図８に示すように、通信線６１を試験弾器モジュール４０内のスリット端子６２と結線する場合は、まず、図８（ａ）の状態から結線工具等を用いて結線作業を行った後、図８（ｂ）に示すように示名条片４２を取り付けることにより、凹部５２と係止部５３とが係止し、引掛穴部５４に嵌込突起部５５が嵌込して、更にリブ５１が対応する結線スリット４４にそれぞれ挿入することで通信線６１を押さえ込む。
【００３１】
これにより、示名条片４２を利用して通信線を押さえ込むことができるため、振動や作業員の誤った結線作業等によって通信線が外れることを防止することができる。また、凹部５２と係止部５３、及び引掛穴部５４と嵌込突起部５５により示名条片４２の試験弾器モジュール４０への装着作業を容易で確実に行うことができる。
【００３２】
なお、上述した実施例２における示名条片４２は、試験弾器モジュール４０に限定されず、同一形状のスリットハウジングを有していればよく、例えば端子板等にも適用することができる。
【００３３】
＜実施例３：配線接続用端子を圧入するための治具＞
図９乃至図１１は、本発明における実施例３を説明するための一例の図である。実施例３では、試験弾器モジュールの下部ハウジングに配線接続用端子を圧入するための治具に横ずれを防止するリブを設けることにより、担当作業員等による配線接続用端子の圧入作業を容易で確実に行うための実施例である。
【００３４】
図９は、実施例３における各構成内容を説明するための一例の図である。具体的には、図９では、治具７１と、配線接続用端子７２と、試験弾器モジュールの下部ハウジング７３からなる。また、図１０は、治具７１が配線接続用端子７２に嵌め込まれている状態の一例を示す図である。更に、図１１は、配線接続用端子７２が下部ハウジング７３に圧入された状態の一例を示す図である。なお、図９（ａ）から図１１（ａ）は正面図を示し、図９（ｂ）から図１１（ｂ）は側断面図を示している。
【００３５】
本発明における治具７１は、配線接続用端子７２に挿入し得る一対の側壁部７１ａと頂部７１ｂとにより略断面コの字状に形成されており、一対の側壁部７１ａには、配線接続用端子７２を所定の間隔で位置決めするリブ７４が形成されている。このリブ７４は、配線接続用端子７２を所定の間隔で配置された端子設置溝７６に圧入する際、配線接続用端子７２の横ずれを防止するための横ずれ防止リブである。
【００３６】
また、配線接続用端子７２は、上述の図２に示した配線接続用端子２３と同一の形状で形成されている。具体的には、配線接続用端子７２の一端にはスリット端子７２ａを有し、もう一端には長短の段差を設けた２つのバネ部７２ｂを有している。また、スリット端子７２ａとバネ部７２ｂとの間には、端子設置溝７６に圧入させる折曲部７８を有している。更に、複数の配線接続用端子７２を一度に圧入するため、複数の配線接続用端子７２の各スリット端子７２ａがキャリア７５により接続されている。
【００３７】
なお、キャリア７５は、配線接続用端子７２を実施例１に示したような下部ハウジング７３の端子設置溝７６に圧入された後、キャリア７５部分を取り外すことで、図１１に示すように配線接続用端子７２のそれぞれが独立して設置されることになる。
【００３８】
また、治具７１により圧入する際には、図１０に示すように、まず２つの横ずれ防止リブ７４の間に配線接続用端子７２の１つが挿入されるよう位置決めされる。更に、治具先端部７７を一対の配線接続用端子７２の折曲部７８に当接し、端子設置溝７６に圧入を行う。これにより、配線接続用端子７２が圧入中に横ずれすることなく容易で確実に圧入することができる。
【００３９】
なお、上述の説明によれば、横ずれ防止リブ７４の設置間隔は配線接続用端子７２の幅を基準に設定されることになるが、１つの配線接続用端子毎に横ずれ防止リブ７４を設けなくてもよく、所定の数の配線接続端子毎に横ずれ防止リブ７４を設けてもよい。
【００４０】
なお、治具７１には、配線接続用端子７２のバネ部が当接時に破損することがないよう、バネ部に接触しないような空間が形成されている。また、この状態から下部ハウジング７３に上蓋を取り付けることで試験弾器モジュールが製造される。
【００４１】
上述したように実施例３に示す横ずれ防止リブ７４が形成された治具を用いることで、配線接続用端子７２が横ずれした状態で圧入してしまい配線接続用端子７２や下部ハウジング７３が破損することを防止することができる。また、配線接続用端子７２の圧入作業を行う作業員は、本発明における治具を用いて作業を容易で確実に行うことができる。なお、実施例３の治具７１は、自動ブレスやハンドプレス装置等に取り付けて使用することもできる。
【００４２】
上述したように本発明によれば、試験弾器モジュールに対する作業員等の作業を容易で確実に実現させることができる。また、上述した実施例１、実施例２、及び実施例３は、それぞれ別々に適用してもよく、同一の試験弾器モジュール等において組み合わせて適用することもできる。
【００４３】
以上、本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００４４】
【図１】実施例１における各構成内容を説明するための一例の図である。
【図２】試験弾器モジュールの内部を説明するための一例の図である。
【図３】試験弾器モジュールにアースバーを装着した一例の図である。
【図４】アースバーとアレスタモジュールの拡大図である。
【図５】アースバーとアレスタモジュールとの嵌合内容を説明するための一例の図である。
【図６】実施例２における各構成内容を説明するための一例の図である。
【図７】示名条片の裏面を説明するための一例の図である。
【図８】示名条片による通信線の押さえ込み例を示す図である。
【図９】実施例３における各構成内容を説明するための一例の図である。
【図１０】治具が配線接続用端子に嵌め込まれている状態の一例を示す図である。
【図１１】配線接続用端子が下部ハウジングに圧入された状態の一例を示す図である。
【符号の説明】
【００４５】
１０，４０  試験弾器サブモジュール
１１，４１  アースバー
１２  アレスタモジュール
２１，７３  下部ハウジング
２２  上蓋
２３，７２  配線接続用端子
２４，７２ｂ  バネ部
２５，６２，７２ａ  スリット端子
２６，４３  結線スリット
２７  ストレインリリーフ
２８  アレスタモジュール用開口部
２９  基板
３０  取り付け用接片
３１  アース用端子
３２  アース端子用開口部
３３  開口面
３４  取手部
３５  差込部
４２  示名条片
５１  リブ
５２  凹部
５３  係止部
５４  引掛穴部
５５  嵌込突起部
６１  通信線
７１  治具
７１ａ  側壁部
７１ｂ  頂部
７４  リブ（横ずれ防止リブ）
７５  キャリア
７６  端子設置溝
７７  治具先端部
７８  折曲部
【図１】
2008270230.tif 000003
【図２】
2008270230.tif 000004
【図３】
2008270230.tif 000005
【図４】
2008270230.tif 000006
【図５】
2008270230.tif 000007
【図６】
2008270230.tif 000008
【図７】
2008270230.tif 000009
【図８】
2008270230.tif 000010
【図９】
2008270230.tif 000011
【図１０】
2008270230.tif 000012
【図１１】
2008270230.tif 000013